(57)【要約】【課題】  ゴルフやグランドゴルフ等のプレー中において、プレーに対する集中力を妨げることなく、容易にマーカーの取り付けおよび取り外しが行えるようにする。【解決手段】  腕に巻くことができるベルト２と、ベルト２の端部に設けられた面ファスナー４等の係合手段とによって、腕時計のように腕に装着することができ、前記ベルト２の上面長さ中央部に突設されたマグネット３ｃに対して金属製マーカー６を着脱させることにより、該マーカー６の使用および保管が行えるようにしている。また、前記マグネット３ｃの両側面には対向壁３ａ・３ｂを設けることにより、マグネット３ｃの磁力が増強されるようになされている。【選択図】  図２
0003145880.tif 000002
【実用新案登録請求の範囲】
【請求項１】
腕に巻くことができる所定長さとしたベルトの上面における長さ中央部にマーカーを磁着させるマグネットが設けられ、ベルトの両端部にはこれらを係合させる係合手段が設けられている、ゴルフ等用マーカーホルダー。
【請求項２】
全体形状が腕時計型であって、時計側に相当するホルダー本体と、ホルダー本体側面の対向位置に取り付けられたベルトと、ベルトの両端部同士を係合させる係合手段と、ホルダー本体の上面に設けられ、マーカーを磁着させるマグネットとを有する、ゴルフ等用マーカーホルダー。
【請求項３】
マグネットの両側面に金属製対向壁が設けられた、請求項１または請求項２記載のゴルフ等用マーカーホルダー。
【考案の詳細な説明】
【技術分野】
【０００１】
本考案は、ゴルフやグランドゴルフ等において、マーカーを保持するのに用いられるマーカーホルダーに関する。
【背景技術】
【０００２】
ゴルフやグランドゴルフでは、グリーン上に位置する自分のボールを拾い上げる際、そのボールがあった位置の目印として、通常、円盤状のマーカーを置くが、このマーカーは、硬貨程度の小さなものであるため、使用していない時にはその保管場所に困るという不都合がある。例えば、マーカーを衣服のポケットに入れた場合、これを取り出す際には、ポケットの底を指先で探ってマーカーを取り出さなければならないことになる。
【０００３】
このような不都合を解消するために、円盤状のマーカーの一面中央部に突起を設ける一方、パター等のグリップの上端には前記突起が挿入できる穴を設けて、マーカーの不使用時には、これをパター等のグリップの上端に嵌めておくことも行われている。
【０００４】
また、近年では、磁性を有する方形の台金の一縁にクリップを一体に設け、該クリップをキャップの鍔や衣服の襟等に挟むことによって、台金を固定し、該台金に金属製のマーカーを磁着させるようにしたものも知られている。
【特許文献１】特開２００６−１８７３５４
【考案の開示】
【考案が解決しようとする課題】
【０００５】
しかしながら、前述した従来例のうち、前者のものでは、マーカーをパター等のグリップに固定する際、マーカーの突起をグリップの上端における穴に正確に嵌め入れる必要があることから、プレーに対する集中の妨げになるおそれがあった。
【０００６】
一方、後者のものでは、台金をキャップの鍔や衣服の襟に取り付けた場合には、位置的に台金を目視することができないため、手探りでマーカーの取り付け、取り外しを行わなければならないという不都合があった。また、台金を衣服の袖に取り付けた場合には、台金を目視することができるため、前述したような不都合は生じないものの、衣服の袖は、キャップの鍔等に比べて柔らかいことから、袖に取り付けられた台金が安定せず、該台金からマーカーを取り外す際、袖が引っ張られて台金からマーカーが外れ難いという問題が生じた。
【０００７】
本考案の目的は、プレーに対する集中力を妨げることなく、容易にマーカーの取り付けおよび取り外しが行えるゴルフ等用マーカーホルダーを提供することにある。
【課題を解決するための手段】
【０００８】
請求項１記載の本考案は、腕に巻くことができる所定長さとしたベルトの上面における長さ中央部にマーカーを磁着させるマグネットが設けられ、ベルトの両端部にはこれらを係合させる係合手段が設けられているゴルフ等用マーカーホルダーである。
【０００９】
請求項２記載の本考案は、全体形状が腕時計型であって、時計側に相当するホルダー本体と、ホルダー本体側面の対向位置に取り付けられたベルトと、ベルトの両端部同士を係合させる係合手段と、ホルダー本体の上面に設けられ、マーカーを磁着させるマグネットとを有するゴルフ等用マーカーホルダーである。
【００１０】
請求項３記載の本考案は、請求項１または請求項２記載のゴルフ等用マーカーホルダーについて、マグネットの両側面に金属製対向壁が設けられたことを技術的特徴とするものである。
【考案の効果】
【００１１】
本考案の請求項１および請求項２記載のゴルフ等用マーカーホルダーは、そのベルトを腕に巻いて係合手段によって、ベルトの端部同士を係合させるだけで腕に安定的に装着することができ、そして、この状態でマグネットを目視しながら、該部に対してマーカーを着脱することができるため、容易にマーカーの着脱が行える。
【００１２】
そのため、ゴルフやグランドゴルフ等のプレー中において、従来のこの種マーカーのように、集中力の妨げになるおそれもなく、自然なプレーの流れの中でマーカーの使用が行えるという格別の利点がある。
【００１３】
また、前記マグネットの両側面に金属製対向壁が設けられた請求項３記載のゴルフ等用マーカーホルダーによれば、マグネットの磁力が増強されるため、マーカーの保持がより強固に行えるという効果が得られる。
【考案を実施するための最良の形態】
【００１４】
次に、本考案の実施形態を図面にしたがって説明するが、本考案はかかる実施形態に限定されるものではない。
【００１５】
（実施形態１）
【００１６】
図１および図２に示すように、本実施形態のマーカーホルダー１は、所定長さの軟質合成樹脂製ベルト２と、ベルト２の上面長さ中央部分に突設されたマーカー磁着部３と、ベルト２の一端上面と他端下面に貼着された面ファスナー４とで構成されている。
【００１７】
図１〜図３に示すように、マーカー磁着部３は、ベルト２内に埋設された金属製板状ベース５の上面に一体に形成されたものであって、所定間隔を開けて立設された二枚の金属製対向壁３ａ・３ｂとこれら対向壁３ａ・３ｂ間に嵌め入れられた立方体状のマグネット３ｃとで構成されている。
【００１８】
なお、マーカー磁着部３は、本実施形態では、前述したように、二枚の金属製対向壁３ａ・３ｂとこれら対向壁３ａ・３ｂ間に嵌め入れられた立方体状のマグネット３ｃとで構成されているが、金属製マーカー６を磁着させるためには、マグネット３ｃだけでも良い。しかしながら、本実施形態では、マグネット３ｃの両面に前記金属製対向壁３ａ・３ｂを立設することによって、マグネット３ｃの磁力が増強される構造となされている。
【００１９】
次に、本実施形態に係るマーカーホルダー１の使用要領について説明すると、先ずベルト２を使用者の腕に巻いて、図２に示すように、ベルト２の両端の面ファスナー４同士を接着させることによって、当該マーカーホルダー１を使用者の腕に固定する。そして、図４に示すように、マーカーホルダー１におけるマーカー磁着部３上にマーカー６を磁着させるだけで該マーカー６の保持が行える。また、ゴルフやグランドゴルフのプレー中において、使用者がグリーン上から自己のボールを拾い上げる際には、マーカー磁着部３上に磁着されたマーカー６を引っ張って取り外すことでマーキングが行える。そして、マーキング後に、マーカー６を拾い上げてその位置にボールを置いた後には、前記マーカー６を再びマーカー磁着部３上に磁着させるだけで再び該マーカー６が保持される。
【００２０】
（実施形態２）
【００２１】
図５および図６に示すように、本実施形態のマーカーホルダー２１は、時刻表示の機能を除いて、外形が腕時計とほぼ同様のものである。
【００２２】
すなわち、本実施形態のマーカーホルダー２１は、時計側に相当にする略円盤状のホルダー本体２２と、ホルダー本体２２の外周部分における対向するラグ部２６に取り付けられたベルト２３Ａ・２３Ｂと、ベルト２３Ａの先端部に形成されたフック２４と、ベルト２３Ｂの先端部に設けられ、フック２４が掛止する横杆２５と、ホルダー本体２２の上面に一体に設けられたマーカー磁着部２７とで構成されている。
【００２３】
マーカー磁着部２７は、前述した実施形態１におけるマーカー磁着部３と同様の構造であるため、その説明を省略する。また、本実施形態のマーカーホルダー２１の使用要領も前記実施形態と同様であるので、その説明を省略する。
【産業上の利用可能性】
【００２４】
本発明のマーカーホルダーは、従来のものと異なり、腕時計のように腕に巻いて簡単且つ確実にマーカーの着脱が行えるため、ゴルフやグランドゴルフ等のマーカーを使用するスポーツにおいて幅広い利用が期待できる。
【図面の簡単な説明】
【００２５】
【図１】実施形態１に係るマーカーホルダーの斜視図であって、ベルトをひろげた状態を示す。
【図２】同実施形態に係るマーカーホルダーの斜視図であって、ベルトを巻いた状態を示す。
【図３】同実施形態に係るマーカーホルダーの一部切欠正面図である。
【図４】同実施形態に係るマーカーホルダーの側面図であって、マーカーが磁着された状態を示す。
【図５】実施形態２に係るマーカーホルダーの斜視図であって、ベルトをひろげた状態を示す。
【図６】同実施形態に係るマーカーホルダーの斜視図であって、ベルトを巻いた状態を示す。
【符号の説明】
【００２６】
１  マーカーホルダー
２  ベルト
３  マーカー磁着部
３ｃ  マグネット
６  マーカー
【図１】
0003145880.tif 000003
【図２】
0003145880.tif 000004
【図３】
0003145880.tif 000005
【図４】
0003145880.tif 000006
【図５】
0003145880.tif 000007
【図６】
0003145880.tif 000008